(57)【特許請求の範囲】
【請求項１】
被写体を撮像して電子的な画像データを連続的に生成する撮像部と、
前記撮像部が生成した前記画像データに対して複数の特殊効果処理のいずれか１つを行う画像処理部と、
前記画像処理部が特殊効果処理を行った前記画像データを所定の動画ファイルフォーマットで記録する記録部と、
前記画像処理部が行う特殊効果処理の設定内容および前記記録部が前記画像データを記録する際に適用する動画ファイルフォーマットを指示する設定指示信号の入力を受け付ける操作入力部と、
前記操作入力部によって入力された前記設定指示信号に応じた特殊効果処理を前記画像処理部に実行させる特殊効果設定部と、
前記複数の特殊効果処理の各々と動画ファイルフォーマットとの組み合わせを示す動画記録態様情報を記録する動画記録態様記録部と、
前記操作入力部によって入力された前記設定指示信号に応じた動画ファイルフォーマットが前記特殊効果設定部によって前記画像処理部に実行させる特殊効果処理に対応していない場合、前記特殊効果設定部が前記画像処理部に実行させる特殊効果処理および前記動画記録態様情報に基づいて、前記記録部が記録する前記画像データの動画ファイルフォーマットを変更する動画記録態様変更部と、
を備えたことを特徴とする撮像装置。
【請求項２】
前記動画記録態様変更部は、前記操作入力部によって入力された前記設定指示信号に応じた動画ファイルフォーマットがＡＶＣＨＤの場合、動画ファイルフォーマットをＡＶＩおよびＭＰ４のいずれかに変更することを特徴とする請求項１に記載の撮像装置。
【請求項３】
前記動画記録態様変更部は、前記特殊効果設定部が前記画像処理部に実行させる特殊効果処理に応じて、前記画像データを記録する記録フレームレートをさらに変更することを特徴とする請求項１に記載の撮像装置。
【請求項４】
前記動画記録態様変更部は、前記画像処理部によって特殊効果処理された後の前記記録フレームレートを変更することを特徴とする請求項３に記載の撮像装置。
【請求項５】
前記動画記録態様変更部は、前記画像処理部によって特殊効果処理される前の前記記録フレームレートを変更することを特徴とする請求項３に記載の撮像装置。
【請求項６】
前記動画記録態様変更部が前記画像データの動画ファイルフォーマットを変更することを示す情報を警告表示する表示部をさらに備えたことを特徴とする請求項１〜５のいずれか一つに記載の撮像装置。
【請求項７】
前記特殊効果処理は、複数の画像処理を組み合わせることにより視覚的な効果を生じさせることを特徴とする請求項１〜６のいずれか一つに記載の撮像装置。
【請求項８】
被写体を撮像して電子的な画像データを連続的に生成する撮像部と、前記撮像部が生成した前記画像データに対して複数の特殊効果処理のいずれか１つを行うことが可能な画像処理部と、を備えた撮像装置に、
前記画像処理部が特殊効果処理を行った前記画像データを所定の動画ファイルフォーマットで記録する記録ステップと、
前記画像処理部が行う特殊効果処理の設定内容および前記記録ステップにおいて前記画像データを記録する際に適用する動画ファイルフォーマットを指示する設定指示信号の入力を受け付ける操作入力ステップと、
前記操作入力ステップによって入力された前記設定指示信号に応じた特殊効果処理を前記画像処理部に実行させる特殊効果設定ステップと、
前記操作入力ステップによって入力された前記設定指示信号に応じた動画ファイルフォーマットが前記特殊効果設定ステップにおいて前記画像処理部に実行させる特殊効果処理に対応していない場合、前記特殊効果設定ステップにおいて実行させる特殊効果処理および前記複数の特殊効果処理の各々と動画ファイルフォーマットとの組み合わせを示す動画記録態様情報を記録する動画記録態様記録部から読み出した前記動画記録態様情報とに基づいて、前記記録ステップにおいて記録する前記画像データの動画ファイルフォーマットを変更する動画記録態様変更ステップと、
を実行させることを特徴とする撮像プログラム。
【発明の詳細な説明】
【技術分野】
【０００１】
本発明は、被写体を撮像して電気的な画像データを生成する撮像装置および撮像プログラムに関する。
【背景技術】
【０００２】
近年、デジタルカメラやデジタルビデオカメラ等の撮像装置において、被写体を撮像した画像データに特殊効果を施すことによって、消費者の様々な要望に応える技術が知られている。たとえば、被写体を撮像した画像データにワイプやセピア等の特殊効果を施した特殊効果画像データを記録することができる技術が知られている（特許文献１参照）。この技術では、ユーザが特殊効果を選択するエフェクトスイッチを操作している際に選択された特殊効果を施した画像を、表示モニタが表示している画像上の一部に表示させることにより、ユーザの所望の特殊効果を容易に選択させることができるようになっている。
【０００３】
また、画像データに施す特殊効果処理の内容に応じて記録フレームレートを規定のフレームレート、たとえば２４ｆｐｓ（Frame  Per  Second）または３０ｆｐｓから選択して記憶する撮像装置が知られている（特許文献２参照）。
【先行技術文献】
【特許文献】
【０００４】
【特許文献１】特開２００５−３４７８８６号公報
【特許文献２】特開２００７−１１６６３５号公報
【発明の概要】
【発明が解決しようとする課題】
【０００５】
ところで、従来の撮像装置では、テレビやビデオ等のＡＶ機器で再生を行うことを前提にした動画記録態様、たとえばＡＶＣＨＤ（登録商標）の動画ファイルフォーマットで特殊効果処理を行った画像データを記録していた。このため、特殊効果処理を行った画像データを記録する際に特殊効果処理と動画記録態様との組み合わせによっては特殊効果を著しく損なう場合があった。
【０００６】
本発明は、上記に鑑みてなされたものであって、動画撮影時の画像データに特殊効果処理を行って記録する際に特殊効果が損なわれることを防止することができる撮像装置および撮像プログラムを提供することを目的とする。
【課題を解決するための手段】
【０００７】
上述した課題を解決し、目的を達成するために、本発明にかかる撮像装置は、被写体を撮像して電子的な画像データを連続的に生成する撮像部と、前記撮像部が生成した前記画像データに対して特殊効果処理を行う画像処理部と、前記画像処理部が特殊効果処理を行った前記画像データを所定の動画記録態様で記録する記録部と、前記画像処理部が行う特殊効果処理の設定内容を指示する設定指示信号の入力を受け付ける操作入力部と、前記操作入力部によって入力された前記設定指示信号に応じた特殊効果処理を設定する特殊効果設定部と、前記特殊効果設定部が前記画像処理部に設定した特殊効果処理に応じて、前記記録部が記録する前記画像データの前記動画記録態様を変更する動画記録態様変更部と、を備えたことを特徴とする。
【０００８】
また、本発明にかかる撮像装置は、上記発明において、前記動画記録態様は、動画の記録形式を定めるファイルである動画ファイルフォーマットを変更することを特徴とする。
【０００９】
また、本発明にかかる撮像装置は、上記発明において、前記特殊効果処理と前記動画ファイルフォーマットとの組み合わせを示す動画記録態様情報テーブルを記憶する動画記録態様記憶部をさらに備え、前記動画記録態様変更部は、前記動画記録態様情報テーブルを参照して、前記動画ファイルフォーマットを変更することを特徴とする。
【００１０】
また、本発明にかかる撮像装置は、上記発明において、前記動画記録態様は、前記画像データを記録する記録フレームレートを変更することを特徴とする。
【００１１】
また、本発明にかかる撮像装置は、上記発明において、前記動画記録態様変更部は、前記画像処理部によって特殊効果処理された後の前記記録フレームレートを変更することを特徴とする。
【００１２】
また、本発明にかかる撮像装置は、上記発明において、前記動画記録態様変更部は、前記画像処理部によって特殊効果処理される前の前記記録フレームレートを変更することを特徴とする。
【００１３】
また、本発明にかかる撮像装置は、上記発明において、前記動画記録態様変更部が前記画像データの前記動画記録態様を変更することを示す情報を警告表示する表示部をさらに備えたことを特徴とする。
【００１４】
また、本発明にかかる撮像装置は、上記発明において、前記特殊効果処理は、複数の画像処理を組み合わせることにより視覚的な効果を生じさせることを特徴とする。
【００１５】
また、本発明にかかる撮像プログラムは、被写体を撮像して電子的な画像データを連続的に生成する撮像ステップと、前記撮像ステップが生成した前記画像データに対して特殊効果処理を行う画像処理ステップと、前記画像処理ステップが特殊効果処理を行った前記画像データを時系列に沿って所定の動画記録態様で記録する記録ステップと、前記画像処理ステップが行う特殊効果処理の設定内容を指示する設定指示信号の入力を受け付ける操作入力ステップと、前記操作入力ステップによって入力された前記設定指示信号に応じた前記特殊効果処理を設定する特殊効果設定ステップと、前記特殊効果設定ステップが前記画像処理ステップに設定した特殊効果処理に応じて、前記記録ステップが記録する前記画像データの前記動画記録態様を変更する動画記録態様変更ステップと、を撮像装置に実行させる。
【発明の効果】
【００１６】
本発明によれば、動画記録態様変更部が特殊効果設定部によって設定された特殊効果に応じて、外部メモリが記憶する画像データの動画記録態様を変更するので、動画撮影時の画像データに特殊効果処理を行って記録する際に特殊効果が損なわれることを防止することができるという効果を奏する。
【図面の簡単な説明】
【００１７】
【図１】図１は、本発明の実施の形態１にかかる撮像装置の撮影者に面する側の構成を示す図である。
【図２】図２は、本発明の実施の形態１にかかる撮像装置の構成を示すブロック図である。
【図３】図３は、本実施の形態１にかかる撮像装置の動画記録態様情報部が記憶する動画記録態様情報テーブルの一例を示す図である。
【図４】図４は、本実施の形態１にかかる撮像装置が特殊効果撮影モードに設定されている場合に表示部が表示する特殊効果撮影操作メニュー画面における画面遷移の一例を示す図である。
【図５】図５は、本実施の形態１にかかる撮像装置が特殊効果撮影モードに設定されている場合に表示部が表示する特殊効果撮影メニュー画面における画面遷移の別の一例を示す図である。
【図６】図６は、本実施の形態１にかかる撮像装置のメニュースイッチを操作された場合に表示部が表示する画面における画面遷移の一例を示す図である。
【図７】図７は、本実施の形態１にかかる撮像装置が特殊効果撮影モードで行う処理の概要を示すフローチャートである。
【図８】図８は、図７に示す動画記録態様変更処理の概要を示すフローチャートである。
【図９】図９は、本実施の形態２にかかる撮像装置のメニュースイッチを操作した際に撮像装置の表示部が表示する画面における画面遷移の一例を示す図である。
【図１０】図１０は、従来のＡＶＣＨＤの動画ファイルフォーマットの動画撮影時における画像データの記録方法を示すタイムチャートである。
【図１１】図１１は、ＡＶＣＨＤの動画ファイルフォーマットで動画撮影を行った画像データの再生方法を示すタイムチャートである。
【図１２】図１２は、従来のＡＶＣHＤの動画ファイルフォーマットにおけるコマ落ち動画撮影時における画像データの記録方法を示すタイムチャートである。
【図１３】図１３は、本実施の形態２にかかるＡＶＣＨＤの動画ファイルフォーマットで動画撮影時に画像処理部が特殊効果処理を行った画像データの記録方法を示すタイムチャートである。
【発明を実施するための形態】
【００１８】
以下、図面を参照して、本発明を実施するための形態（以下、「実施の形態」という）について説明する。なお、以下に説明する実施の形態によって本発明が限定されるものではない。
【００１９】
（実施の形態１）
図１は、本発明の実施の形態１にかかる撮像装置の撮影者に面する側（背面側）の構成を示す斜視図である。図２は、本発明の実施の形態１にかかる撮像装置の構成を示すブロック図である。図１および図２に示す撮像装置１は、デジタル一眼レフカメラであり、本体部２と、本体部２に着脱自在なレンズ部３と、を備える。
【００２０】
図１および図２に示すように、本体部２は、シャッタ１０と、撮像素子１１と、Ａ／Ｄ変換部１２と、メモリ１３と、画像処理部１４と、撮像素子駆動部１５と、シャッタ駆動部１６と、露出処理部１７と、ＡＦ処理部１８と、タイマー１９と、本体通信部２０と、操作入力部２１と、フラッシュ発光部２２と、フラッシュ充電部２３と、フラッシュ駆動部２４と、表示部２５と、不揮発性メモリ２６と、外部メモリ２７と、外部通信部２８と、電源供給部２９と、電源部３０と、制御部３１と、を備える。
【００２１】
シャッタ１０は、撮像素子１１の状態を露光状態または遮光状態に設定する。シャッタ駆動部１６は、ステッピングモータ等を用いて構成され、レリーズ信号に応じてシャッタ１０を駆動する。
【００２２】
撮像素子１１は、レンズ部３が集光した光を受光して電気信号に変換するＣＣＤ（Charge  Coupled  Device）やＣＭＯＳ（Complementary  Metal  Oxide  Semiconductor）等を用いて構成される。撮像素子駆動部１５は、所定のタイミングで撮像素子１１から画像データ（アナログ信号）をＡ／Ｄ変換部１２に出力させる。
【００２３】
Ａ／Ｄ変換部１２は、撮像素子１１から入力されるアナログ信号に対してＡ／Ｄ変換を行うことによってデジタルの画像データを生成してメモリ１３に出力する。
【００２４】
メモリ１３は、ＳＤＲＡＭ（Synchronous  Dynamic  Random  Access  Memory）を用いて構成される。メモリ１３は、Ａ／Ｄ変換部１２から入力される画像データや撮像装置１の処理中の情報を一時的に記録する。具体的には、メモリ１３は、撮像素子１１が１フレーム毎に順次出力する画像データを一時的に記録する。
【００２５】
画像処理部１４は、メモリ１３に記録された画像データを取得し、取得した画像データに対して各種の画像処理を施してメモリ１３に出力する。具体的には、画像処理部１４は、画像データに対してエッジ強調、色補正およびγ補正等の通常の画像処理を施す。画像処理部１４は、特殊効果処理部１４１と、特殊補助効果処理部１４２とを有する。特殊効果処理部１４１は、画像データに対して複数の画像処理を組み合わせることにより視覚的な効果を生じさせる特殊効果処理を行う。この特殊効果処理としては、たとえばトーンカーブ処理、ぼかし処理および画像合成処理を組み合わせた処理を行う。特殊補助効果処理部１４２は、画像データに対して特殊効果処理と異なる特殊補助効果処理、たとえばホワイトアウト効果処理やシェーディング効果処理等の画像処理を行う。
【００２６】
露出処理部１７は、制御部３１を介してメモリ１３に記録された画像データに基づいて、静止画撮影や動画撮影を行う際の条件、たとえば絞りの設定値、シャッタ速度等を決定することで撮像装置１の自動露出を行う。
【００２７】
ＡＦ処理部１８は、制御部３１を介してメモリ１３に記録された画像データに基づいて、撮像装置１の自動焦点（Auto  Focus）の調整を行う。たとえば、ＡＦ処理部１８は、画像データのコントラストに基づいて、撮像する被写体像の鮮鋭度が最大となるようにレンズ部３を駆動する。
【００２８】
タイマー１９は、時間を計時する。タイマー１９は、撮影日時の判定機能を有する。タイマー１９は、撮像された画像データに日時データを付加するため、制御部３１に日時データを出力する。
【００２９】
本体通信部２０は、本体部２に装着されたレンズ部３との通信を行うための通信インターフェースである。なお、本体通信部２０は、本体部２に設けられた電源部３０からレンズ部３に電力を供給するようにしてもよい。
【００３０】
操作入力部２１は、撮像装置１の電源状態をオン状態またはオフ状態に切換える電源スイッチ２１１と、撮影の指示を与えるレリーズ信号を入力するレリーズスイッチ２１２と、撮像装置１に設定された各種撮影モード切換えの指示を与える切換信号を入力する撮影モード切換スイッチ２１３と、撮像装置１の各種設定を選択または決定の指示を与える指示信号を入力する操作スイッチ２１４と、撮像装置１に設定された操作メニュー画面の表示の指示を与える指示信号を入力するメニュースイッチ２１５と、撮像した画像データのレックビュー表示の指示を与える指示信号を入力するプレビュースイッチ２１６と、動画撮影の指示を与える動画レリーズ信号を入力する動画スイッチ２１７と、を有する。レリーズスイッチ２１２は、外部から押圧により進退可能であり、半押しされた場合に撮像準備動作を指示するファーストレリーズ信号の入力を受ける一方、全押しされた場合に静止画撮像を指示するセカンドレリーズの入力を受け付ける。操作スイッチ２１４は、メニュー画面等における選択設定を行う上下左右の各方向ボタン２１４ａ〜２１４ｄと、メニュー画面等における各方向ボタン２１４ａ〜２１４ｄによる操作を決定する決定ボタン２１４ｅ（ＯＫボタン）とを有する（図１を参照）。なお、操作スイッチ２１４は、ダイヤルスイッチ等を用いて構成してもよい。さらに、操作入力部２１の一部として表示部２５にタッチパネルを設けることによって、撮影者が表示部２５の画面上で操作信号の入力を行うことができるようにしてもよい。
【００３１】
フラッシュ発光部２２は、キセノンランプやＬＥＤ（Light  Emitting  Diode）等を用いて構成される。フラッシュ発光部２２は、撮像装置１が撮像する視野領域へ向けて補助光であるストロボ光を照射する。フラッシュ充電部２３は、電源部３０から電源供給を受けて電圧を昇圧して充電する。フラッシュ駆動部２４は、フラッシュ充電部２３が昇圧した電圧をフラッシュ発光部２２に印加させることにより、フラッシュ発光部２２を駆動する。
【００３２】
表示部２５は、液晶または有機ＥＬ（Electro  Luminescence）等からなる表示パネルを用いて構成される。表示部２５は、撮像素子１１が生成した画像データに対応する画像または画像処理部１４が画像データに対して特殊効果処理を行った画像データに対応する画像を所定の表示フレームレート、たとえば３０ｆｐｓで表示する。表示部２５は、撮像装置１の操作情報や撮影に関する情報を適宜表示する。
【００３３】
不揮発性メモリ２６は、フラッシュメモリを用いて構成される。不揮発性メモリ２６は、撮像装置１を動作させるための各種プログラム、本実施の形態にかかる撮像プログラムおよびプログラムの実行中に使用される各種データやパラメータ等を記憶する。不揮発性メモリ２６は、撮像装置１で実行される各種撮影モードに関する情報を記録する撮影モード情報記憶部２６１と、画像処理部１４が行う特殊効果処理に関する情報を記憶する特殊効果処理情報記憶部２６２と、画像処理部１４が行う特殊補助効果処理に関する情報を記憶する特殊補助効果処理情報記憶部２６３と、画像処理部１４が行う特殊効果処理と動画ファイルフォーマットとの組み合わせを示す動画記録態様テーブルを記憶する動画記録態様情報記憶部２６４とを有する。なお、不揮発性メモリ２６は、本体部２に装着可能なレンズ部３の種類に応じたレンズ特殊性等に関する情報を記憶していてもよい。
【００３４】
ここで、動画記録態様情報記憶部２６４が記憶する動画記録態様情報テーブルについて説明する。図３は、動画記録態様情報記憶部２６４が記憶する動画記録態様情報テーブルを示す図である。
【００３５】
図３に示すように、動画記録態様情報テーブルＴ１には、画像処理部１４が画像データに対して実行することが可能な特殊効果処理に、各特殊効果処理における記録フレームレートと、再生フレームレートと、適用可能な動画ファイルフォーマットとが対応付けられて記載されている。たとえば、画像処理部１４に設定された特殊効果処理が「Ａｒｔ１」の「ファンタジックフォーカス」の場合、記録フレームレートとして「２４ｆｐｓ」が記載され、再生フレームレートとして「２４ｆｐｓ」が記載され、適用可能な動画ファイルフォーマットとして「ＡＶＣＨＤ」および「ＡＶＩ」が記載されている。
【００３６】
これに対して、画像処理部１４に設定された特殊効果処理が「Ａｒｔ４」の「ジオラマ」の場合、記録フレームレートとして「２ｆｐｓ」が記載され、再生フレームレートとして「１５ｆｐｓ」が記載され、適用可能な動画ファイルフォーマットとして「ＡＶＩ」が記載されている。「ＡＶＩ」は、記録フレームレートおよび再生フレームレートが自由に設定できる動画ファイルフォーマットであり、「ＡＶＣＨＤ」は、記録フレームレートおよび再生フレームレートが規定された動画ファイルフォーマットである。
【００３７】
このように、動画記録態様記録情報テーブルＴ１には、画像処理部１４が行う各特殊効果処理に、記録フレームレート、再生フレームレートおよび適用可能な動画ファイルフォーマットが対応付けて記載されている。これにより、ユーザによって画像データの動画ファイルフォーマットがＡＶＣＨＤに設定されて場合であっても、特殊効果処理に応じて、ＡＶＩの動画ファイルフォーマットに自動的に変更することができる。
【００３８】
ここで、図３に示した各特殊効果処理について説明する。ファンタジックフォーカスは、柔らかいトーンの中で空気間を表示しつつ、被写体のディティールを残しながら、幸福な光に包まれたように美しく幻想的に仕上げる特殊効果処理である。ファンタジックフォーカスの画像処理の組み合わせたとしては、たとえばトーンカーブ処理、ぼかし処理および合成処理等である。
【００３９】
トイフォトは、画面周辺にシェーディング効果を付加し、色相を黄色に崩すことにより昔らしさや思い出感を表現する特殊効果処理である。さらに、トイフォトは、動画撮影に適用された場合、スローコマ送り効果により動画ならではの動きが思い出感や昔感等を表示することができる。トイフォトの画像処理の組み合わせとしては、たとえばホワイトバランス処理、コントラスト処理、シェーディング処理および色相・彩度処理等である。
【００４０】
ラフモノクロームは、極端なコントラストとフィルムの粒状のノイズを付加して荒々しさを表現する特殊効果処理である。さらに、ラフモノクロームは、動作撮影に適用した場合、コマ落ち効果によって動画ならでは動きが荒々しさや力強さを表現することができる。ラフモノクロームの画像処理の組み合わせとしては、たとえばエッジ強調処理、レベル補正最適化処理、ノイズパターン生成処理、合成処理およびコントラスト処理等である。
【００４１】
ジオラマは、画面に部分的に極端なピンボケを付加し、彩度を強調することにより、おもちゃらしさや作り物らしさを表現する特殊効果処理である。さらに、ジオラマは、動画撮影に適用された場合、早送り効果によって動画ならではの動きがおもちゃらしさ、作り物らしさおよび偽物感を表現することができる。ジオラマの画像処理の組み合わせとしては、たとえば色相・彩度処理、コントラスト処理、ぼかし処理および合成処理等である。
【００４２】
ジェントルセピアは、全体的に柔らかい描写で落ち着いた雰囲気の中にもシャドー部が引き締まったしっとり上品なセピア調の作風を表現する特殊効果処理である。ジェントルセピアの画像処理の組み合わせとしては、たとえばレベル補正最適化処理、トーンカーブ処理、色相・彩度処理、セピア変換処理および暗部色相回転処理等である。
【００４３】
外部メモリ２７は、撮像装置１の外部から装着されるメモリカード等の記録媒体を用いて構成される。外部メモリ２７は、記憶媒体インターフェース（図示せず）を介して撮像装置１に装着されることで画像データや動画データ等の情報を記録する一方、制御部３１の制御のもと、記録した各種情報を表示部２５、画像処理部１４および不揮発性メモリ２６に出力する。なお、本実施の形態１では、外部メモリ２７が記録部として機能する。
【００４４】
外部通信部２８は、通信インターフェースとしての機能を有し、ネットワーク（図示せず）を介してサーバやパーソナルコンピュータ（図示せず）等の外部処理装置と相互方向に送受信を行う。外部通信部２８は、外部処理装置との間で送受信を行うことにより、撮像装置１の各種プログラム、特殊効果処理情報および動画記録態様情報等に関するデータを取得して制御部３１に出力する。なお、外部通信部２８は、有線または無線ＬＡＮ（Local  Area  Network）等を介してネットワークに接続される。
【００４５】
電源供給部２９は、撮像装置１の各構成部に電源部３０の電力を供給する。電源部３０は、撮像装置１に着脱自在なバッテリを用いて構成される。なお、電源供給部２９は、外部電源（図示せず）から供給される電力を撮像装置１の各構成部に供給するようにしてもよい。
【００４６】
制御部３１は、ＣＰＵ（Central  Processing  Unit）等を用いて構成される。制御部３１は、操作入力部２１からの操作信号や指示信号に応じて不揮発性メモリ２６からプログラムを読み出して実行し、撮像装置１を構成する各部に対する指示やデータの転送等を行って撮像装置１の動作を統括的に制御する。制御部３１は、特殊効果設定部３１１と、動画記録態様変更部３１２とを有する。
【００４７】
特殊効果設定部３１１は、操作入力部２１から画像処理部１４が行う特殊効果処理の設定内容を指示する設定指示信号に応じて、画像処理部１４に行わせる特殊効果処理を設定する。特殊効果設定部３１１は、画像処理部１４に行わせる特殊効果処理に関する情報をメモリ１３に記録させる。
【００４８】
動画記録態様変更部３１２は、特殊効果設定部３１１が画像処理部１４に設定した特殊効果処理に応じて、外部メモリ２７に記録する画像データの動画記録態様を変更する。動画記録態様変更部３１２は、動画記録態様として動画ファイルフォーマットおよび／または記録フレームレートを変更する。動画記録態様変更部３１２は、動画記録態様情報記憶部２６４が記憶する動画記録態様情報テーブルＴ１を参照して、動画ファイルフォーマットおよび／または記録フレームレートを変更する。
【００４９】
レンズ部３は、光学系４１と、レンズ駆動部４２と、絞り４３と、絞り駆動部４４と、レンズ操作部４５と、レンズ通信部４６と、レンズ制御部４７と、を備える。
【００５０】
光学系４１は、一または複数のレンズを用いて構成される。光学系４１は、所定の視野領域から光を集光するとともに、画角を変化させる光学ズーム機能を有する。レンズ駆動部４２は、ＤＣモータ等を用いて構成され、光学系４１のレンズを光軸Ｌ上で移動させることにより、光学系４１のピント位置や焦点距離等の変更を行う。
【００５１】
絞り４３は、光学系４１が集光した光の入射量を制限することにより露出の調整を行う。絞り駆動部４４は、ステッピングモータ等を用いて構成され、絞り４３を駆動する。
【００５２】
レンズ操作部４５は、ズーム操作部４５１と、フォーカス操作部４５２とを有する。ズーム操作部４５１は、図１に示すように、レンズ部３のレンズ鏡筒の周囲に設けられるズームリングであり、レンズ部３における光学ズームの操作を開始する操作信号の入力を受け付ける。フォーカス操作部４５２は、図１に示すように、レンズ部３のレンズ鏡筒の周囲に設けられるフォーカスリングであり、レンズ部３におけるピント位置や焦点距離の操作を開始する操作信号の入力を受け付ける。
【００５３】
レンズ通信部４６は、レンズ部３が本体部２に装着された際に本体部２と相互方向に通信を行うための通信インターフェースである。
【００５４】
レンズ制御部４７は、ＣＰＵ（Central  Processing  Unit）等を用いて構成される。レンズ制御部４７は、レンズ操作部４５の操作信号や本体部２からの指示信号に応じてレンズ部３の動作を制御する。具体的には、レンズ制御部４７は、レンズ操作部４５の操作信号に応じてレンズ駆動部４２を駆動させてレンズ部３のピント合わせやズーム変更を行なうとともに、絞り駆動部４４を駆動させて絞り値の変更を行う。なお、レンズ制御部４７は、レンズ部３が本体部２に装着された際に、レンズ部３のピント位置情報、焦点距離情報およびレンズ部３を識別する固有情報等を本体部２に送信するようにしてもよい。
【００５５】
以上の構成を有する撮像装置１は、複数の撮像モード、たとえば撮影シーン自動判別撮影モード、動画撮影モードおよび特殊効果撮影モード（アートフィルター撮影モード）等を有する。このため、以下の説明においては、撮像装置１で実行される特殊効果撮影モードの設定方法について説明する。
【００５６】
まず、ユーザが電源スイッチ２１１を操作することにより、撮像装置１の起動に伴って、制御部３１は、撮像装置１の撮影モードが特殊効果撮影モードに設定されているか否かを判断する。具体的には、制御部３１は、撮影モード切換スイッチ２１３が特殊効果撮影モード（ＡＲＴ）に設定されているか否かを判断する（図１を参照）。撮像装置１の撮影モードが特殊効果撮影モードに設定されていない場合、制御部３１は、他の撮影モードに対応した操作メニュー画面やライブビュー画像を表示部２５に表示させる。
【００５７】
これに対して、撮像装置１の撮影モードが特殊効果撮影モードに設定されている場合、制御部３１は、特殊効果撮影モードに対応した特殊効果撮影操作メニュー画面を表示部２５に表示させる。
【００５８】
図４は、撮像装置１が特殊効果撮影モードに設定されている場合に表示部２５が表示する特殊効果撮影操作メニュー画面における画面遷移の一例を示す図である。
【００５９】
図４に示すように、制御部３１は、撮像装置１が特殊効果撮影モードに設定された場合、特殊効果撮影モードにおける特殊効果撮影操作メニュー画面Ｗ１を表示部２５に表示させる（図４（ａ）を参照）。特殊効果撮影操作メニュー画面Ｗ１には、撮像装置１で実行可能な各特殊効果処理に関する情報がアイコンＡ１〜Ａ５として表示されている。
【００６０】
続いて、制御部３１は、ユーザが操作スイッチ２１４の上ボタン２１４ａまたは下ボタン２１４ｂを操作することにより、操作スイッチ２１４から入力される操作信号に応じて表示部２５が表示する特殊効果撮影操作メニュー画面Ｗ１の内容を表示部２５に切換えさせる。具体的には、制御部３１は、操作スイッチ２１４から入力される操作信号に応じて特殊効果撮影操作メニュー画面Ｗ１内に表示されるアイコンＡ１〜Ａ５のハイライト表示（色）を変更するとともに、選択されたアイコンに対応する特殊効果処理のタイトル、たとえば「ファンタジックフォーカス」、「トイフォト」および「ジェントルセピア」等を表示部２５に表示させる（図４（ａ）→図４（ｂ）→図４（ｃ））。これにより、ユーザは、所望の特殊効果処理を選択することができるとともに、選択した特殊効果処理を直感的に確認することができる。
【００６１】
その後、特殊効果設定部３１１は、ユーザによって操作スイッチ２１４の決定ボタン２１４ｅが操作された際に表示部２５が特殊効果撮影操作メニュー画面Ｗ１で現在表示している特殊効果処理、たとえば「トイフォト」（図４（ｂ）を参照）を特殊効果撮影モードの特殊効果処理として画像処理部１４に設定する。なお、設定された特殊効果処理に関する情報は、メモリ１３に記録される。
【００６２】
続いて、制御部３１は、画像処理部１４が特殊効果撮影操作メニュー画面Ｗ１で設定された特殊効果処理を行った画像データに対応するライブビュー画像を表示部２５に表示させる。これにより、ユーザは、画像データに対して設定した特殊効果処理が施されたライブビュー画像をリアルタイムで確認しながら撮影の構図を決定することができる。
【００６３】
図５は、撮像装置１が特殊効果撮影モードに設定されている場合に表示部２５が表示する特殊効果撮影メニュー画面における画面遷移の別の一例を示す図である。
【００６４】
図５に示すように、表示部２５が特殊効果撮影操作メニュー画面Ｗ１を表示している場合において（図５（ａ））、ユーザが操作スイッチ２１４の右ボタン２１４ｄを操作したとき、制御部３１は、表示部２５が現在表示している特殊効果処理の設定内容を変更する設定変更画面Ｗ１１を表示部２５に表示させる（図５（ｂ））。設定変更画面Ｗ１１は、撮像装置１に設定された各特殊効果処理の設定内容を変更する画面であり、選択された特殊効果処理の設定内容が異なるアイコンＡ１１〜Ａ１３が表示される。
【００６５】
アイコンＡ１１は、選択された特殊効果処理のオリジナルの設定内容が設定されたアイコンである。アイコンＡ１２およびアイコンＡ１３は、選択された特殊効果処理のオリジナルの設定内容からパラメータが変更、たとえば色合いやコントラストがそれぞれ変更されて設定されたアイコンである。
【００６６】
続いて、ユーザは、表示部２５が設定変更画面Ｗ１１を表示している状態で操作スイッチ２１４を操作することにより、選択した特殊効果処理の設定内容を変更する。具体的には、ユーザは、右ボタン２１４ｄを操作してアイコンＡ１１〜Ａ１３を選択可能な状態にした後、さらに上ボタン２１４ａまたは下ボタン２１４ｂを操作して所望のアイコンを選択し、決定ボタン２１４ｅを操作することで特殊効果処理の設定内容を変更する。
【００６７】
図５（ｂ）に示す状況下で、ユーザがさらに下ボタン２１４ｂを操作した場合、制御部３１は、特殊補助効果追加画面Ｗ２１を表示部２５に表示させる（図５（ｃ））。特殊補助効果追加画面Ｗ２１は、撮像装置１に設定された各特殊効果処理に対して特殊補助効果処理（アートエフェクト）を追加設定する画面であり、選択された特殊効果処理に追加設定可能な特殊補助効果処理に対応するアイコンＡ２１〜Ａ２６が表示される。
【００６８】
アイコンＡ２１は、選択された特殊効果処理に特殊補助効果処理を追加しないアイコンである。アイコンＡ２２は、選択された特殊効果処理に特殊補助効果処理としてホワイトアウト効果を追加するアイコンである。アイコンＡ２３は、選択された特殊効果処理に特殊補助効果処理としてシェーディング効果を追加するアイコンである。アイコンＡ２４は、選択された特殊効果処理に特殊補助効果処理としてスターライト効果を追加するアイコンである。アイコンＡ２５は、選択された特殊効果処理に特殊補助効果処理としてアートフレーム効果を追加するアイコンである。アイコンＡ２６は、選択された特殊効果処理に特殊補助効果処理としてソフトフォーカス効果を追加するアイコンである。
【００６９】
続いて、ユーザは、表示部２５が特殊補助効果追加画面Ｗ２１を表示している状態で操作スイッチ２１４を操作することにより、選択した特殊効果処理に追加する特殊補助効果処理を設定する。具体的には、ユーザは、右ボタン２１４ｄを操作してアイコンＡ２１〜Ａ２６を選択可能な状態した後、さらに上ボタン２１４ａまたは下ボタン２１４ｂを操作して所望のアイコンを選択し、決定ボタン２１４ｅを操作することにより選択した特殊効果処理に追加する特殊補助効果を設定する。
【００７０】
図６は、撮像装置１のメニュースイッチ２１５を操作された場合に表示部２５が表示する画面における画面遷移の一例を示す図である。
【００７１】
撮像装置１の表示部２５がライブビュー画像を表示している場合において、ユーザがメニュースイッチ２１５を操作したとき、制御部３１は、カスタマイズメニュー画面Ｗ３１を表示部２５に表示させる（図６（ａ））。
【００７２】
続いて、ユーザが操作スイッチ２１４の下ボタン２１４ｂを操作して動画ファイルを選択して決定ボタン２１４ｅを操作した場合、制御部３１は、記録する画像データの動画記録態様を設定する動画ファイルの動画ファイルフォーマット設定メニュー画面Ｗ３２を表示部２５に表示させる（図６（ｂ））。動画ファイルフォーマット設定メニュー画面Ｗ３２は、撮像装置１が現在設定されている動画ファイルの動画ファイルフォーマットおよび動画ファイルフォーマットに規定された記録フレームレートを表示する動画フォーマット表示領域Ｒ１を有する。
【００７３】
その後、ユーザは、上ボタン２１４ａまたは下ボタン２１４ｂを操作して撮像装置１に設定された複数の動画ファイルフォーマットの中から所望の動画ファイルフォーマットを選択し（図６（ｂ）〜図６（ｅ））、動画フォーマット表示領域Ｒ１に表示される所望の動画ファイルフォーマットの内容が表示された際に決定ボタン２１４ｅを操作する。この際、制御部３１は、表示部２５が動画フォーマット表示領域Ｒ１で現在表示している動画フォーマット、たとえば「ＡＶＨＤＣ」を撮像装置１に設定するとともに、記録フレームレートを「６０ｆｐｓ」に設定する（図６（ｃ）を参照）。
【００７４】
以上の段階を経て特殊効果撮影モードで行う特殊効果処理が設定された撮像装置１が行う処理について説明する。図７は、撮像装置１が特殊効果撮影モードで行う処理の概要を示すフローチャートである。
【００７５】
図７に示すように、まず、撮像装置１は、被写体の撮像を開始する（ステップＳ１０１）。具体的には、撮像素子１１は、微小な時間間隔で連続的に画像データを生成し、生成した画像データを、Ａ／Ｄ変換部１２を介してメモリ１３に出力する。
【００７６】
続いて、制御部３１は、画像処理部１４に特殊効果処理を実行させる（ステップＳ１０２）。具体的には、画像処理部１４は、メモリ１３から画像データを取得し、取得した画像データに対して特殊効果設定部３１１によって設定された特殊効果処理を施してメモリ１３に出力する。この際、画像処理部１４は、特殊効果処理に特殊補助効果が追加設定されている場合、特殊効果処理を施した画像データに対してさらに特殊補助効果処理を行う。
【００７７】
その後、制御部３１は、画像処理部１４によって特殊効果処理が施された画像データに対応するライブビュー画像を、特殊効果設定部３１１によって設定された特殊効果処理に対応する再生フレームレート、たとえば１５ｆｐｓで表示部２５に表示させ（ステップＳ１０３）、レリーズスイッチ２１２からファーストレリーズ信号が入力されたか否かを判断する（ステップＳ１０４）。ファーストレリーズ信号が入力されていない場合（ステップＳ１０４：Ｎｏ）、撮像装置１は後述するステップＳ１０７に移行する。
【００７８】
これに対して、ファーストレリーズ信号が入力された場合（ステップＳ１０４：Ｙｅｓ）、制御部３１は、メモリ１３に記録された画像データに基づいて、レンズ部３を介して入射する光の光量を測定する測光処理を露出処理部１７に実行させ（ステップＳ１０５）、ＡＦ処理部１８にＡＦ処理を実行させる（ステップＳ１０６）。具体的には、ＡＦ処理部１８は、制御部３１を介してメモリ１３から画像データを取得し、取得した画像データのコントラストに基づいて、レンズ部３のレンズ駆動部４２を駆動することにより、光学系４１のレンズを光軸Ｌ上で移動させて撮像装置１のピント位置を調整する。
【００７９】
動画スイッチ２１７が操作されることにより、動画撮影を指示する動画レリーズ信号が入力された場合（ステップＳ１０７：Ｙｅｓ）、制御部３１は、動画記録中である操作されたことを示すフラグがメモリ１３内に設定されているか否かを判断する（ステップＳ１０８）。フラグがメモリ１３内に設定されていない場合（ステップＳ１０８：Ｎｏ）、制御部３１は、メモリ１３内にフラグを設定する（ステップＳ１０９）。
【００８０】
続いて、動画記録態様変更部３１２は、特殊効果設定部３１１によって変更された特殊効果処理に応じて、外部メモリ２７に記録する画像データの動画記録態様を変更する動画記録態様変更処理を実行する（ステップＳ１１０）。
【００８１】
その後、撮像装置１は、動画記録態様変更部３１２が変更した動画記録態様で外部メモリ２７に動画撮影を開始する（ステップＳ１１１）。
【００８２】
レリーズスイッチ２１２からセカンドレリーズ信号が入力されていない場合（ステップＳ１１２：Ｎｏ）、撮像装置１は後述するステップＳ１１７に移行する。一方、セカンドレリーズ信号が入力された場合（ステップＳ１１２：Ｙｅｓ）、制御部３１は、メモリ１３内にフラグが設定されているか否かを判断する（ステップＳ１１３）。メモリ１３内にフラグが設定されていない場合（ステップＳ１１３：No）、撮像装置１は後述するステップＳ１１６に移行する。一方、メモリ１３内にフラグが設定されている場合（ステップＳ１１３：Ｙｅｓ）、撮像装置１は、動画撮影を終了し（ステップＳ１１４）、制御部３１は、メモリ１３内に設定されたフラグの設定を解除する（ステップＳ１１５）。
【００８３】
続いて、撮像装置１は、画像処理部１４が特殊効果処理を行った静止画の画像データを外部メモリ２７に記録させる静止画撮影処理を実行し（ステップＳ１１６）、撮影の終了操作が行われたか否かを判断する（ステップＳ１１７）。具体的には、撮影モード切換スイッチ２１３が操作されることにより、撮影モード切換スイッチ２１３から他の撮影モードに切り換えを指示する切換信号が入力されたか否かを判断する。撮影の終了操作が行われていない場合（ステップＳ１１７：Ｎｏ）、撮像装置１はステップＳ１０１に戻る。一方、撮影の終了操作が行われた場合（ステップＳ１１７：Ｙｅｓ）、撮像装置１は本処理を終了する。
【００８４】
ステップＳ１０８において、メモリ１３内にフラグが設定されている場合（ステップＳ１０８：Ｙｅｓ）について説明する。この場合、制御部３１は、メモリ１３内に設定されたフラグの設定を解除し（ステップＳ１１８）、撮像装置１は、動画撮影を終了する（ステップＳ１１９）。
【００８５】
つぎに、図７に示したステップＳ１１０の動画記録態様変更処理について説明する。図８は、図７に示す動画記録態様変更処理の概要を示すフローチャートである。
【００８６】
図８に示すように、まず、制御部３１は、ユーザによって動画ファイルフォーマット設定メニュー画面Ｗ３２（図６を参照）で設定された画像データの記録フレームレートに応じて、外部メモリ２７が記録する画像データの記録フレームレートを設定する（ステップＳ２０１）。たとえば図５（ｃ）のように選択された場合、制御部３１は、外部メモリ２７が画像データを記録する記録フレームレートを６０ｆｐｓに設定する。
【００８７】
続いて、制御部３１は、ユーザによって動画ファイルフォーマット設定メニュー画面Ｗ３２で設定された動画ファイルフォーマットに応じて、外部メモリ２７が画像データを記録する動画ファイルの動画ファイルフォーマットを設定する（ステップＳ２０２）。たとえば、制御部３１は、外部メモリ２７が画像データを記録する動画ファイルの動画ファイルフォーマットをＡＶＣＨＤに設定する（図６（ｃ）を参照）。
【００８８】
その後、制御部３１は、特殊効果設定部３１１によって画像処理部１４に設定された特殊効果処理がジオラマであるか否かを判断する（ステップＳ２０３）。画像処理部１４に設定された特殊効果処理がジオラマでない場合（ステップＳ２０３：Ｎｏ）、撮像装置１は後述するステップＳ２０６に移行する。
【００８９】
これに対して、画像処理部１４に設定された特殊効果処理がジオラマである場合（ステップＳ２０３：Ｙｅｓ）、動画記録態様変更部３１２は、動画記録態様情報記憶部２６４が記憶する動画記録態様情報テーブルＴ１を参照して、外部メモリ２７が画像データを記録する動画ファイルフォーマットをジオラマのＡＶＩ動画ファイルフォーマットに変更し（ステップＳ２０４）、外部メモリ２７が画像データを記録する記録フレームレートをジオラマに設定された記録フレームレートを２ｆｐｓに変更する（ステップＳ２０５）。
【００９０】
この動画記録態様を変更する際に、制御部３１は、動画記録態様変更部３１２が動画記録態様として動画ファイルの動画ファイルフォーマットを変更することを示す警告を表示部２５に表示させてもよい。さらに、動画記録態様変更部３１２は、操作入力部２１、たとえば操作スイッチ２１４の決定ボタン２１４ｅから入力される動画記録態様の変更を許可する指示信号が入力された場合に動画記録態様を変更する処理を行うようにしてもよい。これにより、動画記録態様変更部３１２は、ユーザの意思を加味した状態で画像処理部１４が行う特殊効果処理に適した動画ファイルフォーマットに変更することができる。
【００９１】
ステップＳ２０６において、制御部３１は、特殊効果設定部３１１によって画像処理部１４に設定された特殊効果処理がラフモノクロームであるか否かを判断する。画像処理部１４に設定された特殊効果処理がラフモノクロームでない場合（ステップＳ２０６：Ｎｏ）、撮像装置１は後述するステップＳ２０９に移行する。
【００９２】
これに対して、画像処理部１４に設定された特殊効果処理がラフモノクロームである場合（ステップＳ２０６：Ｙｅｓ）、動画記録態様変更部３１２は、動画記録態様情報記憶部２６４が記憶する動画記録態様情報テーブルＴ１を参照して、外部メモリ２７が画像データを記録する動画ファイルの動画ファイルフォーマットをＡＶＣＨＤからラフモノクロームのＡＶＩ動画ファイルフォーマットに変更し（ステップＳ２０７）、外部メモリ２７が画像データを記録する記録フレームレートをラフモノクロームの記録フレームレートを６ｆｐｓに変更する（ステップＳ２０８）。
【００９３】
ステップＳ２０９において、制御部３１は、特殊効果設定部３１１によって画像処理部１４に設定された特殊効果処理がトイフォトであるか否かを判断する。画像処理部１４に設定された特殊効果処理がトイフォトでない場合（ステップＳ２０９：Ｎｏ）、撮像装置１は図６に示したメインルーチンに戻る。
【００９４】
これに対して、画像処理部１４に設定された特殊効果処理がトイフォトである場合（ステップＳ２０９：Ｙｅｓ）、動画記録態様変更部３１２は、動画記録態様情報記憶部２６４が記憶する動画記録態様情報テーブルＴ１を参照して、外部メモリ２７が画像データを記録する動画ファイルフォーマットをＡＶＣＨＤからトイフォトのＡＶＩ動画フォーマットに変更する（ステップＳ２１０）。
【００９５】
続いて、動画記録態様変更部３１２は、外部メモリ２７が画像データを記録する記録フレームレートをトイフォトの記録フレームレートを１５ｆｐｓに変更し（ステップＳ２１１）、撮像装置１は図７に示したメインルーチンに戻る。
【００９６】
以上説明した本発明の実施の形態１にかかる撮像装置１は、特殊効果設定部３１１が操作入力部２１から入力された画像処理部１４が行う特殊効果処理の設定内容を指示する設定指示信号に応じた特殊効果処理を画像処理部１４に設定し、動画記録態様変更部３１２が特殊効果設定部３１１によって画像処理部１４に設定された特殊効果に応じて、外部メモリ２７が記憶する画像データの動画記録態様を変更するので、動画撮影時に画像データに特殊効果処理を行って記録する際に特殊効果処理に適した動画記録態様で自動的に設定することができる。さらに、特殊効果処理を施した画像データを再生する際に、特殊効果による芸術的な表現が損なわれることを確実に防止することができる。
【００９７】
また、本実施の形態１では、動画記録態様変更部３１２が特殊効果設定部３１１によって画像処理部１４に設定された特殊効果に応じて、動画ファイルの動画ファイルフォーマットをＡＶＩに変更していたが、たとえばＭＰ４に変更するようにしてもよい。
【００９８】
（実施の形態２）
つぎに、本発明の実施の形態２について説明する。上述した実施の形態１では、撮像装置１が特殊効果撮影モードに設定されている場合について説明したが、本発明の実施の形態２では、撮像装置１がユーザの手動による撮影条件の詳細設定が可能な複数の手動設定撮影モードのいずれか１つで特殊効果処理を行う場合について説明する。なお、本発明の実施の形態２にかかる撮像装置は上述した撮像装置１と同様の構成を有するため説明を省略する。
【００９９】
まず、ユーザが電源スイッチ２１１を操作することにより、撮像装置１の起動に伴って、制御部３１は、撮像装置１の撮影モードが手動設定撮影モードのいずれかに設定されているか否かを判断する。具体的には、制御部３１は、撮影モード切換スイッチ２１３がプログラム撮影モード（Ｐ）、絞り優先撮影モード（Ａ）、シャッタ優先撮影モード（Ｓ）およびマニュアル撮影モード（Ｍ）のいずれかに設定されているか否かを判断する（図１を参照）。撮像装置１の撮影モードがＰ／Ａ／Ｓ／Ｍモードのいずれかに設定されている場合、制御部３１は、Ｐ／Ａ／Ｓ／Ｍモードに対応するライブビュー画像を表示部２５に表示させる。
【０１００】
ここで、プログラム撮影モード（Ｐ）とは、撮像装置１が絞り値とシャッタ速度とを自動的に設定するモードである。絞り優先撮影モード（Ａ）とは、ユーザが絞り値を設定し、撮像装置１がシャッタ速度を自動的に設定するモードである。シャッタ優先撮影モード（Ｓ）とは、ユーザがシャッタ速度を設定し、撮像装置１が絞り値を自動的に設定するモードである。マニュアル撮影モード（Ｍ）とは、ユーザが絞り値とシャッタ速度とを設定するモードである。
【０１０１】
続いて、表示部２５がライブビュー画像を表示している場合において、ユーザがメニュースイッチ２１５を操作したとき、制御部３１は、カスタマイズメニュー画面を表示部２５に表示させる。
【０１０２】
図９は、撮像装置１のメニュースイッチ２１５を操作した際に撮像装置１の表示部２５が表示する画面における画面遷移の一例を示す図である。
【０１０３】
図９に示すように、制御部３１は、撮像装置１がＰ／Ａ／Ｓ／Ｍモードのいずれかに設定された場合において、ユーザがメニュースイッチ２１５を操作したとき、カスタマイズメニュー画面Ｗ４１を表示部２５に表示させる（図９（ａ））。カスタマイズメニュー画面Ｗ４１は、撮像装置１に設定された各種設定、たとえば画質モードやピクチャーモードの設定内容を変更する画面である。
【０１０４】
続いて、ユーザが操作スイッチ２１４の下ボタン２１４ｂを操作することにより、ピクチャーモードを選択して決定ボタン２１４ｅを押下した場合、制御部３１は、仕上がりの内容を設定する仕上がり設定画面Ｗ４２を表示部２５に表示させる（図９（ｂ））。仕上がり設定画面Ｗ４２は、撮影目的や被写体に応じて最良の結果が得られるように、色調、彩度、色相、コントラストおよび明るさ等のパラメータが各撮影シーンに対応した画像処理が設定された複数の仕上がり設定から選択する画面である。さらに、選択された仕上がり設定の補助メッセージが表示される。
【０１０５】
その後、表示部２５が仕上がり設定画面Ｗ４２を表示しているときに、ユーザが操作スイッチ２１４の下ボタン２１４ｂを操作した場合において、制御部３１は、次の仕上がり設定画面Ｗ４３を表示部２５に表示させる（図９（ｃ））。なお、表示部２５が表示する仕上がり設定画面Ｗ４２と仕上がり設定画面Ｗ４３との間には、複数の仕上がり設定画面が存在し、ユーザによる操作スイッチ２１４の下ボタン２１４ｂの押下された回数に応じて仕上がり設定画面が逐次切換えられる。
【０１０６】
表示部２５が仕上がり設定画面Ｗ４３を表示後、ユーザが操作スイッチ２１４の下ボタン２１４ｂを操作した場合、制御部３１は、特殊効果撮影設定画面Ｗ４４を表示部２５に表示させる（図９（ｄ））。特殊効果撮影設定画面Ｗ４４は、撮像する画像データに対して特殊効果処理や特殊補助効果処理を選択設定する画面である。さらに、表示部２５が特殊効果撮影設定画面Ｗ４４を表示しているときに、ユーザが操作スイッチ２１４の下ボタン２１４ｂを操作した場合において、制御部３１は、次の特殊効果撮影設定画面Ｗ４５を表示部２５に表示させる（図９（ｅ））。なお、表示部２５が表示する特殊効果撮影設定画面Ｗ４４と特殊効果撮影設定画面Ｗ４５との間には、複数の特殊効果撮影設定画面が表示される。制御部３１は、ユーザによる操作スイッチ２１４の下ボタン２１４ｂに応じて特殊効果撮影設定画面を切換える。これにより、ユーザは、操作スイッチ２１４を操作することにより、所望の特殊効果設定画面を選択し、操作スイッチ２１４の決定ボタン２１４ｅを操作することで、所望の特殊効果処理、たとえばジオラマ（図９（ｅ））を撮像装置１に設定する。
【０１０７】
以上の段階を経てＰ／Ａ／Ｓ／Ｍモードいずれかで特殊効果処理が設定された場合に撮像装置１が行う処理について説明する。なお、本実施の形態２では、上述した実施の形態と同様の処理を行い、動画記録態様変更部３１２が動画ファイルフォーマットを変更することなく、記録フレームレートを変更することによって画像データをＡＶＣＨＤの動画ファイルフォーマットで外部メモリ２７に記録させる。このため、本実施の形態２では、動画記録態様変更部３１２がＡＶＣＨＤの動画ファイルフォーマットで画像処理部１４が特殊効果処理を行った画像データを外部メモリ２７に記録させる記録方法について説明する。また、以下の説明においては、本実施の形態２の記録方法を詳細に説明するため、まず、最初に従来のＡＶＣＨＤの動画ファイルフォーマットによる記録方法を説明し、次に従来のコマ落ち動画の記録方法を説明後、最後に本実施の形態２にかかる記録方法を説明する。さらに、ＡＶＣＨＤの動画ファイルフォーマットによる記録フレームレートを３０ｆｐｓとして説明する。
【０１０８】
図１０は、従来のＡＶＣＨＤの動画ファイルフォーマットの動画撮影時における画像データの記録方法を示すタイムチャートである。図１１は、ＡＶＣＨＤの動画ファイルフォーマットで動画撮影された画像データの再生方法を示すタイムチャートである。なお、図１０においては、動画記録態様変更部３１２が画像処理部１４によって通常の画像処理のみ行われた画像データを外部メモリ２７に記録させる場合について説明する。
【０１０９】
図１０に示すように、撮像装置１は、露光開始間隔を３３ｍｓで動画撮影を行う。この露光間隔で、撮像素子１１は、画像データを生成し、生成した画像データをＡ／Ｄ変換部１２を介してメモリ１３に出力する。次に、画像処理部１４は、メモリ１３から画像データを取得し、取得した画像データに通常の画像処理を行ってメモリ１３に出力する。最後に、動画記録態様変更部３１２は、メモリ１３から画像処理部１４によって通常の画像処理がされた画像データを取得し、取得した画像データを外部メモリ２７に記録させる（記録「１」）。このような処理を繰り返すことで、動画記録態様変更部３１２は、ＡＶＨＤＣの動画ファイルフォーマットで動画撮影時に生成した画像データ（記録「１」〜「３０」）を記録することができる。
【０１１０】
外部メモリ２７に記録された画像データを再生表示する場合、図１１に示すように、動画記録態様変更部３１２は、外部メモリ２７に記録された画像データ（記録「１」〜「３０」）を時系列に沿って表示部２５に表示させることにより、動画撮影時と同じ速度（１倍）で再生することができる（図１１）。
【０１１１】
図１２は、従来のＡＶＣＤの動画ファイルフォーマットにおけるコマ落ち動画撮影時における画像データの記録方法を示すタイムチャートである。なお、図１２においては、撮像装置１が７．５ｆｐｓで生成した画像データを外部メモリ２７が記録する場合について説明する。
【０１１２】
図１２に示すように、撮像装置１は、露光開始間隔を１３２ｍｓで動画撮影を行う。この露光間隔で、撮像素子１１は、画像データを生成し、生成した画像データをＡ／Ｄ変換部１２を介してメモリ１３に出力する。次に、画像処理部１４は、メモリ１３から画像データを取得し、取得した画像データに通常の画像処理を行ってメモリ１３に出力する。最後に、動画記録態様変更部３１２は、メモリ１３から画像処理部１４によって画像処理された画像データを取得し、取得した同じ画像データを外部メモリ２７に繰り返し４回記録させる（記録「１」〜「４」）。このような処理を繰り返すことで、撮像装置１は、ＡＶＨＤＣの動画ファイルフォーマットでコマ落ち動画撮影で生成した画像データ（記録「１」〜記録「３０」）を外部メモリ２７に記録させることができる。
【０１１３】
外部メモリ２７に記録された画像データを再生表示する場合、図１１に示すように、動画記録態様変更部３１２は、外部メモリ２７に記録された画像データ（記録「１」〜「３０」）を時系列に沿って表示部２５に表示させることにより、通常の動画撮影時と同じ再生速度（３０ｆｐｓ÷７．５ｆｐｓ÷４＝１）で画像データを再生することができる。
【０１１４】
図１３は、本実施の形態２にかかるＡＶＣＨＤの動画ファイルフォーマットで動画撮影時に画像処理部１４が特殊効果処理を行った画像データの記録方法を示すタイムチャートである。なお、図１３においては、撮像装置１が特殊効果撮影モードのジオラマ（２ｆｐｓ（図９を参照））に設定された際に生成した画像データを外部メモリ２７が記録する場合について説明する。
【０１１５】
図１３に示すように、撮像装置１は、露光開始間隔を５００ｍｓで動画撮影を行う。この露光間隔で、撮像素子１１は、画像データを生成し、生成した画像データをＡ／Ｄ変換部１２を介してメモリ１３に出力する。次に、画像処理部１４は、メモリ１３から画像データを取得し、取得した画像データに特殊効果処理を行ったメモリ１３に出力する。最後に、動画記録態様変更部３１２は、メモリ１３から画像処理部１４によって特殊効果処理された画像データを取得し、取得した同じ画像データを外部メモリ２７に繰り返し２回記録させた後（記録「１」〜「２」）、次の露光が終了するまで画像データを外部メモリ２７に記録させることを停止させる（図１３）。このような処理を繰り返すことで、撮像装置１は、ＡＶＨＤＣの動画ファイルフォーマットで動画撮影時に画像処理部１４が特殊効果処理を行った画像データ（記録「１」〜「３０」）を記録することができる。
【０１１６】
外部メモリ２７に記録された画像データを再生表示する場合、図１１に示すように、撮像装置１は、外部メモリ２７に記録された画像データ（記録「１」〜「３０」）を時系列に沿って表示部２５に表示させることにより、通常の動画撮影時の再生速度に比べて速い再生速度（３０ｆｐｓ÷２ｆｐｓ÷２＝７．５）で画像データを再生することができる。
【０１１７】
以上説明した本実施の形態２によれば、動画記録態様変更部３１２が特殊効果設定部３１１によって画像処理部１４に設定された特殊効果処理に応じて、外部メモリ２７に画像データを記録させる記録フレームレートを変更させることにより、ＡＶＨＤＣの動画ファイルフォーマットであっても特殊効果処理を行った画像データを外部メモリ２７に記録させることができる。この結果、画像処理部１４が特殊効果処理を行った画像データを連続的に再生する際に、特殊効果が損なうことを防止することができる。
【０１１８】
また、本実施の形態２では、動画記録態様変更部３１２が画像処理部１４によって特殊効果処理された画像データを２回繰り返し外部メモリ２７に記録させた後、次の露光が終了するまで画像データを外部メモリ２７に記録させることを停止させていたが、たとえば画像データを外部メモリ２７に１回記録させた後、所定時間だけ停止させ、再度、同じ画像データを外部メモリ２７に１回記録させるようにしてもよい。また、同じ画像データを複数回繰り返して記録せずに、１回記録し、そのフレームを繰り返すような命令を記録してもよい。
【０１１９】
また、本実施の形態２では、動画記録態様変更部３１２が、次の露光開始まで画像処理部１４に特殊効果処理を行った複数の画像データを生成させ、この複数の画像データの中から２つの画像データのみを取得して外部メモリ２７に記録させ、残りの画像データを破棄するようにしてもよい。これにより、上述した実施の形態２と同様の効果を奏する。
【０１２０】
また、本実施の形態２では、動画記録態様変更部３１２は、画像処理部１４によって特殊効果処理された後の記録フレームレートを変更していたが、たとえば画像処理部１４によって特殊効果処理される前の記録フレームレートを変更するようにしてもよい。具体的には、動画記録態様変更部３１２は、画像処理部１４がメモリ１３から取得する画像データの時間間隔を変更することによって記録フレームレートを変更するようにしてもよい。
【０１２１】
また、本実施の形態２では、動画記録態様変更部３１２は、現在の露光と次の露光とで生成された２つの画像データを画像処理部１４に合成させ、合成させた画像データを現在の露光と次の露光との間の画像データとして外部メモリ２７に記録させるようにしてもよい。
【０１２２】
（その他の実施の形態）
上述した実施の形態１，２では、外部通信部２８を介してパーソナルコンピュータやサーバ等の外部処理装置に接続することによって、制御部３１が外部通信部２８を介して受信した情報に基づいて撮影モード情報記憶部２６１、特殊効果処理情報記憶部２６２、特殊補助効果処理情報記憶部２６３および動画記録態様情報記憶部２６４に記憶された各種情報の更新または書き換えを行ってもよい。これにより、制御部３１は、新たに追加された撮影モード、特殊効果、特殊補助効果および動画記録態様を組み合わせて撮影を行うことができる。さらに、外部メモリ２７に特殊効果処理情報や特殊補助効果処理情報を記憶させ、制御部３１が外部メモリ２７から取得して特殊効果処理情報記憶部２６２および特殊補助効果処理情報記憶部２６３が記憶する各種情報を更新または変更を行ってもよい。
【０１２３】
また、上述した実施の形態１，２では、レンズ部３が本体部２に着脱自在であったが、レンズ部３と本体部２とが一体的に形成されていれもよい。
【０１２４】
また、上述した実施の形態１，２では、撮像装置１をデジタル一眼デジタルカメラとして説明していたが、たとえばレンズ部３と本体部２とが一体に形成されたデジタルカメラ、デジタルビデオカメラ、カメラ付き携帯電話等の撮影機能と表示機能を備えた各種電子機器に適用することができる。
【符号の説明】
【０１２５】
１            撮像装置
２            本体部
３            レンズ部
１０          シャッタ
１１          撮像素子
１２          Ａ／Ｄ変換部
１３          メモリ
１４          画像処理部
１５          撮像素子駆動部
１６          シャッタ駆動部
１７          露出処理部
１８          ＡＦ処理部
１９          タイマー
２０          本体通信部
２１          操作入力部
２２          フラッシュ発光部
２３          フラッシュ充電部
２４          フラッシュ駆動部
２５          表示部
２６          不揮発性メモリ
２７          外部メモリ
２８          外部通信部
２９          電源供給部
３０          電源部
３１          制御部
４１          光学系
４２          レンズ駆動部
４３          絞り
４４          絞り駆動部
４５          レンズ操作部
４６          レンズ通信部
４７          レンズ制御部
１４１        特殊効果処理部
１４２        特殊補助効果処理部
２１１        電源スイッチ
２１２        レリーズスイッチ
２１３        撮影モード切換スイッチ
２１４        操作スイッチ
２１５        メニュースイッチ
２１６        プレビュースイッチ
２１７        動画スイッチ
２６１        撮影モード情報記憶部
２６２        特殊効果処理情報記憶部
２６３        特殊補助効果処理情報記憶部
２６４        動画記録態様情報記憶部
３１１        特殊効果設定部
３１２        動画記録態様変更部
４５１        ズーム操作部
４５２        フォーカス操作部
【図１】
0005695400.tif 000002
【図２】
0005695400.tif 000003
【図３】
0005695400.tif 000004
【図４】
0005695400.tif 000005
【図５】
0005695400.tif 000006
【図６】
0005695400.tif 000007
【図７】
0005695400.tif 000008
【図８】
0005695400.tif 000009
【図９】
0005695400.tif 000010
【図１０】
0005695400.tif 000011
【図１１】
0005695400.tif 000012
【図１２】
0005695400.tif 000013
【図１３】
0005695400.tif 000014